Podtech/llm-jp-corpus-v4-ja_patent huggingface dataset:
(57)【要約】【課題】  従来のハンドピース用のブラシにおいては、ブラシ部のみの交換が構造上できずコスト面、再利用に問題があった。又、接着剤を使用する固定方法においては引張り強度にバラツキが発生し安定した商品の製造にも問題がありこれを課題としブラシ部のみの交換と引張り強度の安定を考えた。【解決手段】  糸束の一方端面を熔着し熔着成形部１ａを有する段付き円筒ブラシ素子１を製造する。これを本体軸先端円筒小孔内に挿入後、先端外周部をブラシ径付近までカシメハンドピース用ブラシとした。もう一つの解決手段は、段付き円筒ブラシ素子１をブラシ外径同等の小孔を有するキャップ後方より挿入、後方よりネジ構造等で軸部とブラシ部を固定する方法を考えた。【選択図】図１
2011000406.tif 000002
【特許請求の範囲】
【請求項１】
適正量の糸を束ね円筒形状のブラシとし、その一方端面を熔解熔着と同時に軟化により成形し、ブラシ外径より大きい凸部をブラシ一方側面に設けることを特徴とするハンドピース用ブラシ。
【請求項２】
請求項１のブラシ一方側面に凸部を設けたハンドピース用ブラシであって、ブラシ先端糸束一部だけが研磨、清掃面に接触することを特徴とするハンドピース用ブラシ。
【請求項３】
請求項１乃至２の何れかのハンドピース用ブラシであって、熔着成形端面中央付近に貫通小孔を設けることを特徴とするハンドピース用ブラシ。
【請求項４】
請求項１乃至３の何れかのハンドピース用ブラシであって、ブラシ使用糸径が０．０５ミリメートル乃至１．５ミリメートルの断面寸法を有することを特徴とするハンドピース用ブラシ。
【請求項５】
請求項１乃至３の何れかのハンドピース用ブラシであって、ブラシ使用糸物性が樹脂、砥粒入り樹脂、ワイヤーであることを特徴とするハンドピース用ブラシ。
【発明の詳細な説明】
【技術分野】
【０００１】  本発明は歯科、金属仕上げ研磨に使用するハンドピース型電動工具に取り付け使用するハンドピース用段付きブラシに関する。
【背景技術】
【０００２】  従来のハンドピース用ブラシの製造方法は、１に、適量の糸束をＵ字形状に曲げ、その中央に金属性止め板を挟み本体軸先端の円筒小孔に打ち込み仮止め後、円筒小孔先端外側面を円周に沿ってカシメ固定する方法を植え込み方式という。２に、歯科清掃用として使用されるブラシ中央付近に貫通小孔を設けたブラシにおいては、糸束一方端面に接着剤を塗布後本体軸先端の円筒小孔内に挿入乾燥後、ドリル等により貫通小孔を開け円筒小孔先端外側面を円周に沿ってカシメ固定する方法もある。その他にも、糸束一方端面を熔着固定し接着剤塗布後本体軸先端の円筒小孔内に挿入乾燥後、ドリル等により貫通小孔を開け円筒小孔先端外側面を円周に沿ってカシメ固定する方法もある。
【発明の開示】
【発明者が解決しようとする課題】
【０００３】  従来のハンドピース用のブラシにおいては、前記したように植え込み方式、接着とカシメ等を併用固定し交換は本体軸を含むブラシパーツで行われるのが通例であった。この場合、ブラシ部の物性と異なる金属軸の存在により分別回収が難しく再利用に問題があった。又、金属本体軸製造及び、ブラシ固定工程と部品点数からコスト面にも問題があった。
【０００４】  歯科清掃用に使用される貫通小孔をブラシ中央付近に設けた商品においては、前記した２つの方法で製造される場合が通例とされるがこの場合も交換は金属本体部を含むブラシパーツ交換となり前記問題があった。
【０００５】もう一つの課題は、ブラシ固定の際糸束が扇状に左右に開くことで歯科清掃用においては歯垢除去力の低下、金属磨においては研磨力の低下を防ぐことを課題とした。
【課題を解決するための手段】
【０００６】  ブラシ本体外径より大きい熔着成形部をブラシ一方端面に設けることで、ブラシの左右への開きとブラシ素子の交換が同時に可能となった。その方法は、ブラシ本体外径と同寸法付近までのカシメとしブラシの左右への開きを防止する。同時にブラシ一方側面にブラシ本体外径より大きい段を成形することでブラシを固定することが容易にできる。前記した方法はカシメによるものであるが、ブラシ本体外径と同寸法付近のキャップ部を予め製造しブラシ素子をキャップ後方より挿入ネジ構造を設けた軸をもって固定する方法をとることによってブラシ素子のみの交換も可能となった。
【発明の効果】
【０００７】  この発明により、ブラシ素子のみの交換が可能となり安価でエンドユーザーに供給することが実現した。
【０００８】  歯科用においては一回交換の実現により衛生面での貢献は顕著と考える。又、分別回収においても従来品ではペンチ等でブラシ部を引き抜く作業が必要であったが、その作業がなくなるばかりか金属本体軸が個別に必要なくエコブラシといえる。
【発明を実施するための最良の形態】
【０００９】  以下、本発明の実施形態を図に基づいて説明する。図１乃至２の段付き円筒ブラシ素子１の製造方法は下記に示す通りである。【００１０】  成形金型内に一方側面よりブラシ外径寸法の小孔を開け、他方向よりブラシ外径寸法より片肉０．１５ミリメートル〜０．６ミリメートル大きい小孔を深さ１０ミリメートル位開ける。次に、ブラシ外径寸法小孔側より適量の糸束を挿入し成形金型より突出した糸束側面を揃え、熱により熔解熔着後、軟化状態時に成形金型内に引き込みブラシ素子一方端面に熔着成形部１ａを作り段付き円筒ブラシ素子１が完成する。【００１１】  前記した熱による熔解温度度はナイロン樹脂をベースとした糸束の場合２３０℃位であり、成形金型内に糸束を引き込むタイミング温度は軟化が始まる１８０℃〜２００℃位が適当である（室温２５℃の場合約１秒後）。あまり速く成形金型内に引き込むと、外周部よりバリが発生し形状が安定しないこととなり、後処理工程が必要となる。【００１２】  次に、適正寸法にカットして完成した段付き円筒ブラシ素子１のブラシ面を円錐形状にカットした円錐型ブラシ面１ｂを示した商品が図２である。【００１３】  歯科用で主に使用される中央付近に貫通小孔１ｃを設けた段付き円筒ブラシ素子１の貫通小孔１ｃは、金属性の針を２８０℃〜３８０℃位に加熱し差し込んで製造し、ドリル等で小孔内面を浚う方法をとった。
【図面の簡単な説明】
【００１４】
【図１】  本発明実施の形態における段付き円筒ブラシ素子拡大外観図。
【図２】  本発明実施の形態における円錐ブラシ面段付き円筒ブラシ素子拡大外観図。
【図３】  本発明実施の形態における貫通小孔を設けた段付き円筒ブラシ素子拡大断面図。
【符号の説明】
【００１５】    １．  段付き円筒ブラシ素子
１ａ．熔着成形部
１ｂ．円錐型ブラシ面
１ｃ．貫通小孔
【図１】
2011000406.tif 000003
【図２】
2011000406.tif 000004
【図３】
2011000406.tif 000005
(57)【要約】【課題】  女性用のサンダルはそのファッション性から日常の生活で利用されている。しかし、脱げやすく危険、かかとが浮き歩きづらい欠点がある。本発明は、装飾を施し、外観が良好であり、工夫したバネを用いる事により脱着可能な履物用の伸縮式固定装置である。【解決手段】本装置は、装飾が施された装飾部と伸縮性を確保するための伸縮部からなる。装飾部は装飾が施され外観を良好にする。伸縮部は金属（またはプラスチック等の素材）の筒の中にバネ収納する事により、靴裏にバネが直接接触する事を防ぎ、バネがスムーズに伸縮する事を可能にし、緊締効果を持つ。【選択図】図１
2011000401.tif 000002
【特許請求の範囲】
【請求項１】
本装置は、緊締機能を兼ねた装飾部と工夫した伸縮部部からなる履物用伸縮固定装置。装飾品としての機能、履物が歩行時に脱げてしまうことを防ぐ機能、履物を長時間使用した時の疲れを軽減する機能、脱着が容易である機能を同時に実現する装置。図１、２
【請求項２】
前記装飾部は、足と接触する部分にクリスタル、その他の装飾が施され、履物使用時のファッション性を向上させる緊締機能を持った装飾部。図２
【請求項３】
請求項１に記載の伸縮部は、バネを用い伸縮性を持ち、金属（またはプラスチック等その他の素材）内にバネを配置した留め具であって、バネが直接靴底に触れる事を防ぐことにより、履物を傷つけることを防ぎ、かつ、容易な伸縮性を確保し、かつ、一定以上の長さに延びない仕組みを持つ伸縮部。図３
【請求項４】
前記伸縮部は、バネを収納した筒を直列に接続する機能を持つ。それにより、履物の幅の広狭、あるいは形状に合わせ単数または複数の装着し、適切な装着感を得ることができる伸縮部。
【請求項５】
前記伸縮部は、バネを収納した筒を並列に接続する機能を持つ。それにより、本装置を複数装着し、足と履物の装着強度を利用者の意思により、調節可能な伸縮部。同時に、装飾部を複数装着でき、装着者の好みで複数選択可能となる伸縮部。図４
【発明の詳細な説明】
【技術分野】
【０００１】本発明は、履物の固定装置に関する。さらに詳しく、本発明は、履物を利用する際の脱げ防止、疲労軽減、装飾効果を同時に実現するための、バネを用いた脱着可能な装置。
【背景技術】
【０００２】従来の脱着自由な靴ベルトとして、伸縮性の素材でなるテープ状の環ベルトがある（非特許文献１参照）。このベルトはテープ状の環ベルトで靴と足の甲に巻き付けるものである。
【先行技術文献】
【０００３】
【非特許文献１】実用新案公開平５−１５８１０
【０００４】しかし、このベルトは、装飾部と伸縮部を分離する構造を持たない。ベルト部全体に伸縮機能を持たせているため、自由な装飾ができず、また、伸縮ベルトが露出し外観を損ねる。
【発明の概要】
【発明が解決しようとする課題】
【０００５】女性用のサンダルは、そのファッション性から日常の生活で利用されている。しかし、脱げやすく危険であり、かつ、かかとが浮き、歩きづらい等の欠点がある。従来技術を用い、履き心地を向上させることは可能であるが、装飾品と両立させることは困難である。【０００６】そこで、本発明は、実用性と装飾性を両立させることを目的とした装置である。本装置は、装飾を施し外観が良好な装飾部と、工夫したバネを用いる伸縮部からなる。装飾部と伸縮部の機構を分離した装履物用の伸縮式固定装置である。図１、２
【課題を解決するための手段】
【０００７】（第１発明）
上記課題を解決するための本願第１発明は、伸縮部に工夫したバネを用い、装飾部と伸縮部を分離する。伸縮部を分離した事により、伸縮ベルトの露出を防ぎ、外観の良好な装飾部を持つ事が出来る。図２【０００８】（第２発明）
本装置の伸縮部は、金属（またはプラスチック等の素材）の筒の中にバネを収納する事により、靴裏にバネが直接接触する事を防ぎ、バネがスムーズに伸縮する事を可能にする。また、バネが一定の長さ以上に伸びる事を防止する仕組みを持つ。図３【０００９】（第３発明）
本装置の伸縮部は、バネを収納した筒を並列に接続する事が出来る。それにより、本装置を並列に複数装着し、足と履物の装着強度を、利用者の意思により調節可能とする。また、装飾部も複数装着できるので、利用者の好みにより複数選択可能となる。図４【００１０】（第４発明）
本装置の伸縮部は、バネを収納した筒を直列に接続する事が出来る。それにより、履物の幅の広狭、あるいは形状に合わせ、単数または複数の装着し、適切な装着感、緊締の強弱を得ることができる。
【発明の効果】
【００１１】本発明により、サンダル等の履物を着用する際、美観を損ねる事なく装飾品としての機能、履物が歩行時に脱げてしまうことを防ぐ機能、履物を長時間使用した時の疲れを軽減する機能、脱着が容易である機能を同時に実現する。
【発明を実施するための形態】
【００１２】装飾部は、針金等にクリスタル、ビーズ等の装飾効果のある素材を通す。針金の末端をリング状にし、装飾品の脱落を防ぐと同時に、伸縮部との結合部となる。図２
【００１３】伸縮部は、筒状のケース内にバネが挿入される。ケースの両端には穴があり、バネの両端をケース外部に露出させる。ケースは、バネの両端がケースにより止まるため、ケースの長さ以上にバネが延びることを防止する。ケース外に露出したバネの両端はリング状になり、バネの両端がケース内に入る事を防止すると同時に、装飾部または、別の伸縮部と直列に接続する事を可能にする。図３
【００１４】伸縮部のケースには磁石を装着する。それにより、伸縮部を並列に複数接続する事を可能にする。図４
【図面の簡単な説明】
【００１５】
【図１】装置を装着した状態の図である。
【図２】装置の全体図である。
【図３】装置の伸縮部を側面から見た図とその断面図である。
【図４】装置の伸縮部を連結した図である。
【符号の説明】
【００１６】１  伸縮部
２  装飾部
１ａ，１ｂ  伸縮部の断面
１１  伸縮部
１３  伸縮部の磁石
【図１】
2011000401.tif 000003
【図２】
2011000401.tif 000004
【図３】
2011000401.tif 000005
【図４】
2011000401.tif 000006
(57)【要約】【課題】紙や布織物に描かれた書、絵、デザイン等を、時間や費用をかけずに容易に展示鑑賞できるように、掛軸形態の上下部材に作品を挟み込む箇所を設けた掛軸風展示鑑賞壁掛けを提供する。【解決手段】掛軸形態の上部材（１）と下部材（２）のそれぞれ作品側の箇所に、開閉式の作品を挟み込む箇所を（３）を設けた掛軸風展示鑑賞用壁掛けを特徴とする。【選択図】図１
2011000409.tif 000002
【特許請求の範囲】
【請求項１】
掛軸形態の上部材（１）と下部材（２）の作品側の箇所に、作品を挟み込み箇所（３）を設けた掛軸風展示鑑賞用壁掛け。
【発明の詳細な説明】
【技術分野】
【０００１】この発明は、展示鑑賞する作品を容易に、入れ替え可能にした展示鑑賞用壁掛けである。
【背景技術】
【０００２】従来、展示や鑑賞用の掛軸や額などの壁掛けは、作品ごとに作成していた。
作品ごとに作成するために費用と時間を要していた。
【発明の開示】
【発明が解決しようとする課題】
【０００３】従来、紙や布などの薄いものに描かれた書や絵、デザインなどは額装や表具をしなければ展示や鑑賞が困難であった。
また作品ごとに作成していたので、時間と費用が発生していた。
本発明は、以上のような欠点を改善するためのものである。
【課題を解決する手段】
【０００４】掛軸形態の上部材（１）と下部材（２）のそれぞれの作品側の箇所に開閉式の作品を挟み込む箇所（３）を設ける。
本発明は、以上の構成よりなる作品入替え式掛軸風壁掛けである。
【発明の効果】
【０００５】作品の上下を挟み込む方式なので、作品の上下を挟むだけで容易に展示鑑賞ができる掛けものにできる。また作品の入替えも容易にできる利点がある。
【発明を実施するための最良の形態】
【０００６】以下、本発明を実施するための最良の形態について説明する。
掛軸形態の上部材（１）と下部材（２）のそれぞれ作品側に、開閉式の作品を挟み込む箇所（３）を設ける。上部材（１）と下部材（２）の作品挟み込み箇所（３）に、作品（４）の上下部分を挟み込み一体化させる。
【図面の簡単な説明】
【０００７】
【図１】本発明の全体図である。
【図２】本発明の挟み込み箇所を設けた上部材図である。
【図３】本発明の挟み込み箇所を設けた下部材図である。
【符号の説明】
【０００８】１  上部材
２  下部材
３  開閉式挟み込み箇所
４  作品
【図１】
2011000409.tif 000003
【図２】
2011000409.tif 000004
【図３】
2011000409.tif 000005
(57)【要約】【課題】  傘等の強度強化と軽量化を図り、損傷が減少する傘等の製造をする。【解決手段】  傘部品の材質をマグネシウム合金、チタン合金、アルミニウム合金、ばねはステンレス鋼を含めた材質により強度強化と軽量化を図る。【選択図】なし【特許請求の範囲】
【請求項１】
雨傘、日傘、ビーチパラソル、ガーデンパラソル、ゴルフパラソル、折りたたみ傘等、傘の形状をした全般に適用する。
【請求項２】
マグネシウム合金、チタン合金、アルミニウム合金、ばねはステンレス鋼の使用を含めて適宜使用し、強度強化と軽量化を図った傘等の製造をする。
【発明の詳細な説明】
【技術分野】
【０００１】  この発明は雨傘、日傘、パラソルの強度強化と軽量化を図る製造方法に関する。
【背景技術】
【０００２】  従来から傘等は、雨傘、日傘に使用しているが、強度不足による損傷により廃棄されることがある。
【発明の概略】
【発明が解決しようとする課題】
【０００３】  そこで、傘等の強度強化と軽量化が求められる。
【発明を解決するための手段】
【０００４】  目的達成のために傘等の強度強化、軽量化については主軸、大骨、中骨、小骨、ばね、カシメ鋲、溶接、樹脂等で強度強化と軽量化のため、部分的また全体にマグネシウム合金、チタン合金、アルミニウム合金を適宜使用する。ばねについてはステンレス鋼の使用も含める。
【発明の効果】
【０００５】  このように強度強化と軽量化が図られれば、損傷の減少により傘等の廃棄が減少してエコにも貢献できる。
(57)【要約】【課題】面倒な分解組み立てを無くし、おろし金感覚で扱える大根おろし器。【解決手段】目詰まりの原因である平面に付けて有る大根おろし歯を無くし、ノコギリをアーチ形状にし回転ドラムに複数取り付け、大根おろしが深い溝に落ちてノコ歯には貯まらない構造にした、又パーツ点数を最小限に抑え掃除は主に本体と受け皿で簡単に洗浄出来る。【選択図】図１
2011000410.tif 000002
【特許請求の範囲】
【請求項１】
平な面に突起物（歯）付けた物では目詰まりするが、深さのあるノコ歯をアーチ形状にして回転ドラムの外周に斜め方向に複数枚取り付けた大根おろし器。
【請求項２】
分解掃除を避ける為、本体とドラム洗浄を目的にドラム固定場所に高速ギアを装備し、遠心力と受け皿の水のかき上げ作用で分解せずドラムと本体の洗浄が出来る大根おろし器。
【発明の詳細な説明】
【技術分野】
【０００１】本発明は、従来の方法と異なる大根おろし器に関する。
【背景技術】
【０００２】一般の大根おろし器は平面に突起（歯物）が付いた物で直に目詰まりする。
現在、数種類の大根おろし器が市販されている、がどれも満足できる物は無い、電動式は、大きい、重い、電源が必要、後片付けが面倒など小家族には不向きである、手動回転式は目詰まりを起こし削れなくなる、おろし金は目詰まりしないタイプも有るが腕力の弱い人では腕に大きな負担が掛かる。
【発明の概要】
【発明が解決しようとする課題】
【０００３】目詰まりの原因である平面部分を無くし、掃除の際の分解組み立てを単純にする。
【課題を解決するための手段】
【０００４】本発明は、ドラムにアーチ型状のノコ歯を斜めに複数取り付けドラムをハンドルで回し大根おろしを作る物で、平部分が少なく大根おろしが貯まらない構造である、おろす大根に対しノコ歯が垂直であるから大根との摩擦抵抗が小さく、大根を押さえず重さだけでハンドルを回し大根おろしが作れるが、短い大根は軽い為ウェート（重り）を乗せる必要がある、ウェート（１２）は大根押さえと蓋が一体の物で本体（１）にガイドパイプ（１１）の鍔（１１ａ）を本体のミゾ（１ｂ）に固定し、短い大根の上に乗せパイプ内で使用する物である、長い大根には不要である。構造は、ドラムをシャフト（５）でフレームに固定し同軸に小歯車（７）も固定、小歯車の横に大歯車（８）を別シャフト（６）で取り付けた物で両歯車のシャフト先端にはハンドル（９）用の回り止め切り込みが付てある（５ｂ）。セッテング方法は、ドラムの付いたフレーム（３）を本体（図面４）に対しフレームを立てた状態（図面５）で軸受け３ｄの部分を本体の切り落とし部分（１ａ）に差し込みフレームの３ｅをストッパーボス（１ｅ）に掛け、フレームのクランプ板バネ（３ｆ）をフームストッパー（１ｄ）まで引き上げ３ｆを１ｄｄに掛ければ上下、前後、横、全て固定される、横方向は本体１ａの周囲を軸受けの３ａと３ｃ部分で挟み込む形である。
【発明の効果】
【０００５】本発明は面倒な分解、掃除、目詰まり等から解放された手間要らずな物で、掃除はハンドルを高速シャフトに差し替えハンドルを回せばドラムが高速で回り遠心力でノコ歯に付いた大根は受け皿に落ちてしまう、後は本体と受け皿を水ですすぐだけで掃除は終わりである。
【図面の簡単な説明】
【０００６】
【図１】上か見た全体図で上側図は本体切断図、右図はＣ部分の拡大切断面図である。
【図２】全体正面図で左側図は図面１のＡ−Ａ断面図である。
【図３】全体側面図で右側図は図面２のＢ−Ｂ断面図である
【図４】蓋、パイプ、本体の取り付け図で右側図は中心部の切断面図である。
【図５】フレームとドラムの側面図、右図はＤ部分の拡大図である。
【図６】受け皿の側面図で右側図は切断面図である。
【発明を実施するための形態】
【０００７】平な部分が少ないノコ歯をアーチ状にしてドラムに固定する事である、又分解掃除を避け為ハンドル取り付け部分にドラムを高速で回すギアを組み込み掃除専用シャフトを取り付けハンドルの差し換えで掃除が出来る。
【実施例】
【０００８】掃除は受け皿に水を入、大根投入口に蓋をしハンドルを高速シャフトに差し換えてドラムを高速回転で回せば水をかき上げて本体とノコ歯に付いた大根は受け皿に洗い落ちてしまう、受け皿は単なる器であるから分解はほとんど不要である。
【符号の説明】
【０００９】１      本体
１ａ    切り落とし部分
１ｂ    パイプクランプミゾ
１ｃ    パイプ位置決め
１ｄ    フレームストッパー
１ｅ    ストッパーボス
２      受け皿
３      フレーム
３ｄ    ギアボックス
３ｅ    引っ掛け部分
３ｆ    クランプ板バネ
４      ドラム
４ａ    ノコ歯
４ｂ    ドラムリブ
４ｃ    空洞部分
５      主軸シャフト
６      高速シャフト
７      小歯車
８      大歯車
９      ハンドル
１０    回り止めピン
１１    ガイドパイプ
１１ａ  鍔
１２    ウェート蓋
【図１】
2011000410.tif 000003
【図２】
2011000410.tif 000004
【図３】
2011000410.tif 000005
【図４】
2011000410.tif 000006
【図５】
2011000410.tif 000007
【図６】
2011000410.tif 000008
(57)【要約】【課題】    従来のこれらのナスカンに何か物を引っ掛ける時、もしくははずす時に押すバネの部分が小さくてコツや指先に力が必要であった。  そのためにお年寄りや子供には扱いにくい点があった。【解決手段】    ナスカンに物を引っ掛ける時、もしくははずす時に押すバネの部分（１）を図１のように変形させて横に出っ張るようにして押すバネの部分（１）を広げるようにする。  もしくはバネを変形させるだけでなく同じような効果を期待できるようにバネの部分に横に出っ張るような物を取り付けて押す部分を広げるようにする。【選択図】図１
2011000415.tif 000002
【特許請求の範囲】
【請求項１】
ナスカンに物を引っ掛ける時、もしくははずす時に押すバネの部分を図１のように変形させて横に出っ張るように押すバネの部分（１）を広げたナスカン。
【請求項２】
バネを変形させるだけでなく同じような効果を期待できるようにバネの部分に横に出っ張るような物を取り付けて押す部分を広げたナスカン。
【発明の詳細な説明】
【技術分野】
【００１】      本発明は鞄などに取り付けるナスカンに関するものである。
【技術背景】
【００２】      従来のこれらのナスカンに何か物を引っ掛ける時、もしくははずす時に押すバネの部分が小さくてコツや指先に力が必要であった。
【発明の開示】
【発明が解決しようとする課題】
【００３】      そのために操作をする場合にお年寄りや子供には扱いにくい問題点があった。
【課題を解決するための手段】
【００４】      そこで本発明はナスカンの押すバネの部分（１）を押しやすいように横に出っ張るように広げておりお年寄りや子供が指先に力を入れなくてもコツも必要なく簡単に扱えるようにしてある。  図面では横方向の楕円形状であるが丸でも四角でも三角でも形状にはこだわらない。  また、何か同じような効果を期待できるものを取り付けてもかまわない。
【発明の効果】
【００５】      ナスカンの押すバネの部分（１）に横方向の出っ張りを作ることによりお年寄りや子供でもコツや指先の力が必要なく簡単に扱える効果がある。
【図面の簡単な説明】
【図１】      正面図
【図２】      横図
【図３】      裏面図
【符号の説明】    １．押すバネの部分
【図１】
2011000415.tif 000003
【図２】
2011000415.tif 000004
【図３】
2011000415.tif 000005
(57)【要約】【課題】  対話時に口臭が気になる人の悩みは多い。会話時も笑っても支障がなく外観から装着具使用が判らないことを目的とした。  本発明は口臭の悩みを解決する唾液分泌促進具を提供する。【解決手段】  弾性体板につなぎ部（１）の両端に噛み部（２）を設けた唾液分泌促具とする。  使用する時は口腔内上顎歯茎部と上唇の間に挿入し舌で噛み部を上歯、下歯の間に出し入れしてかるく噛むことで唾液分泌を促し口腔内の新陳代謝が活発になり口臭が抑制される。会話も支障なくできる。【選択図】図２
2011000417.tif 000002
【特許請求の範囲】
【請求項１】
上側または下側顎歯茎部と唇の間に入れて使用する唾液分泌促進具であって弾性体板につなぎ部（１）と両端に噛み部（２）を設けた唾液分泌促進具。
【請求項２】
つなぎ部（１）は安定固定部となる。両端の噛み部（２）は上、下歯の間を出し入れできることを特徴とした請求項１記載の唾液分泌促進具。
【発明の詳細な説明】
【技術分野】
【０００１】  本発明は口腔内の唾液分泌促進具に関するものである。
【背景技術】
【０００２】  従来は、唾液分泌を促進するためにはガムやアメ等をなめることにより分泌していた。
また口腔内装着して内部の歯など保護するために用いるマウスピースやマウスガイドが知られている。（特許文献１参照）
【先行技術文献】
【特許文献】
【０００３】
【特許文献１】特開２００１−２５２２８８
【発明の概要】
【発明が解決しようとする課題】
【０００４】  対話時に口臭が気になる人の悩みは多い。会話時も笑っても支障がなく外観から装着具使用が判らないことを目的とした。
本発明はその問題点を解決するためになされたものである。
【課題を解決するための手段】
【０００５】  弾性体板につなぎ部の両端に噛み部を設け、つなぎ部を歯茎に這わせ噛み部を出し入れすることにより会話時も笑っても支障がなく外観から装着具使用が判らないことを特徴とした唾液分泌促進具とする。
【発明の効果】
【０００６】  本発明により唾液分泌促進を可能にし口腔内に新陳代謝を促し口臭が抑制される。
会話も支障なくできる。
また、本発明は虫歯予防にもなる。
【図面の簡単な説明】
【０００７】
【図１】本発明の斜視図
【図２】本発明の使用状態を示す斜視図
【発明を実施するための形態】
【０００８】  弾性体板からなるつなぎ部（１）の両端に噛み部（２）を設けた唾液分泌促進具とする。
本発明を使用する時は、口腔内上顎歯茎部と上唇との間につなぎ部（１）を挿入し、舌で噛み部（２）を上歯、下歯の間に出し入れ可能にして軽く噛んで使用する。
【符号の説明】
【０００９】  １．つなぎ部
２．噛み部
【図１】
2011000417.tif 000003
【図２】
2011000417.tif 000004
(57)【要約】【課題】  ウィルス等の侵入をより効果的に防ぐ機能を有するマスクを提供する。【解決手段】  マスクの広さに収まる程度の広さをもった、適当な厚さの板状の柔軟性の高い軟質プラスチック発泡体等に、人の鼻孔と口を合わせた部分が収まる形状の穴を設けて防菌補助部材を形成し、これをマスクの内側に取り付けることによりウィルス等の侵入をより効果的に防ぐ。【選択図】図１
2011000413.tif 000002
【特許請求の範囲】
【請求項１】
マスクの広さに収まる程度の広さをもった、適当な厚さの板状の柔軟性の高い軟質プラスチック発泡体等に、人の鼻孔と口を合わせた部分が収まる形状の穴を設けて防菌補助部材を形成し、これをマスクの内側に取り付けた構造からなる防菌マスク。
【請求項２】
上記防菌補助部材の穴のへりの小鼻の上部にあたる部位に、左右２カ所の突起部を設けた請求項１における防菌マスク。
【発明の詳細な説明】
【技術分野】
【０００１】  本発明は、マスクの広さに収まる程度の広さをもった、適当な厚さの板状の柔軟性の高い軟質プラスチック発泡体等に、人の鼻孔と口を合わせた部分が収まる形状の穴を設けて防菌補助部材を形成し、これをマスクの内側に取り付けた構造からなる防菌マスクに関するものである。
【背景技術】
【０００２】  従来よりマスクは存在するが、一般的な廉価なマスクでは顔面とマスクとの間に僅かな隙間が生じ、この隙間からウィルス等が侵入する可能性が高く、ウィルス感染防止の意味からは不十分であると言われている。最近では新型エンフルエンザの世界的な蔓延が大きく懸念されており、ウィルス感染防止に有効な一般的な廉価なマスクが要望されている。
【発明の概要】
【発明が解決しようとする課題】
【０００３】  従来から存在する一般的な廉価なマスクは、これを装着した場合、顔面とマスクとの間に僅かな隙間が生じ、この隙間からウィルス等が侵入するという問題点があった。
本発明は以上の問題点を解決しようとするものである。
【課題を解決するための手段】
【０００４】  マスクの広さに収まる程度の広さをもった、適当な厚さの板状の柔軟性の高い軟質プラスチック発泡体等に、人の鼻孔と口を合わせた部分が収まる形状の穴を設けて防菌補助部材を形成し、これをマスクの内側に取り付ける。穴のへりの小鼻の上部にあたる部位に、左右２カ所の突起部を設ける。以上を特徴とする防菌マスクである。
【発明の効果】
【０００５】  本発明により、ウィルス等の侵入をより効果的に防止することが可能となり、ウィルス感染防止等に役立つ。
【図面の簡単な説明】
【０００６】
【図１】  本発明の実施の形態に係わる外観斜視図  （ａ）は一般的な平マスクに係わる本発明の外観斜視図  （ｂ）は上下に広げることのできる平マスクに係わる本発明の外観斜視図
【図２】  本発明の分解斜視図  （ａ）は一般的な平マスクに係わる本発明の分解斜視図  （ｂ）は上下に広げることのできる平マスクに係わる本発明の分解斜視図
【図３】  本発明の分解斜視図  （ａ）は一般的な平マスクに係わる本発明の分解斜視図  （ｂ）は上下に広げることのできる平マスクに係わる本発明の分解斜視図
【発明を実施する為の形態】
【０００７】  本発明の防菌マスクは、マスク本体（１）と、マスク本体（１）に固定された防菌補助部材（２）とからなっている。防菌補助部材（２）の中央部分には、人の鼻孔と口が収まる形状の穴（３）が設けられている。本発明の防菌マスクを装着すると、マスク本体（１）に固定された防菌補助部材（２）が、人の顔面の形状に沿って容易に変形して、顔面とマスクとの間にできる隙間を埋めることができる。この機能により隙間からのウィルス等の侵入をより効果的に防止することが可能となる。マスク本体（１）に固定される防菌補助部材（２）は、適切な素材の一つとして軟質ポリウレタン発泡体があるが、他の素材でも代替できる。すなわち、ウレタン以外の軟質プラスチック発泡体や柔軟性を有するゴム部材、布、ガーゼ、脱脂綿、不織布、その他の柔軟性を有する素材でも可能である。図の（ａ）で示される一般的な平マスクについては、マスク本体（１）の内側に、防菌補助部材（２）を全面にわたって、又は防菌補助部材（２）の周囲に沿って、又は上部等、その一部分を粘着剤や接着剤等で、又は縫合する等で取り付ける。図の（ｂ）で示される上下に広げることのできる平マスクについては、防菌補助部材（２）の左右両端の中央部分又はその上部等を、マスク本体（１）の内側の両端や上部等に、同様の方法で取り付ける。マスクを装着すると、防菌補助部材（２）が顔面に押し付けられ、顔面とマスクとの間の隙間を埋めることにより、隙間からのウィルスの侵入をより効果的に防ぐことができる。これにより新型インフルエンザ等の感染拡大防止にも役立ち、社会的にも有用性が高いものと考えられる。防菌補助部材（２）はマスク本体（１）に固定して取り付けなくても、マスク本体（１）と組み合わせて装着することによりウィルスの侵入をより効果的に防ぐという目的を達成することができる。またこの柔軟性の高い軟質プラスチック発泡体等でつくる防菌補助部材（２）は、図３で示されるように、穴のへりの小鼻の上部にあたる部位に、左右２カ所の成型等による突起部（４）を設けることで、マスクを装着した場合、小鼻の上部にできる顔面とマスクとの隙間を、これが無い場合に比してより少なくすることができる。本発明は花粉症対策に対しても有効である。
【符号の説明】
【０００８】１  マスク本体
２  防菌補助部材
３  穴
４  突起部
【図１】
2011000413.tif 000003
【図２】
2011000413.tif 000004
【図３】
2011000413.tif 000005
(57)【要約】      （修正有）【課題】従来の技術では、チョッピング状況の直接的監視ができていないという欠点があるため、異常発生検知の信頼性に乏しい。【解決手段】鋼帯１のエッジ部をトリミングしている間に発生するトリム屑３をチョッパ４で耳屑５に分断し、前記チョッパを覆うシュート６を介して下方に排出するにあたり、前記シュートの上部に設置した超音波レベルセンサ７を用いて前記シュート内の屑堆積レベルを常時監視することにより屑詰まりを検知する。【選択図】図１
2011000649.tif 000002
【特許請求の範囲】
【請求項１】
鋼帯のエッジ部をトリミングしている間に発生するトリム屑をチョッパで耳屑に分断し、前記チョッパを覆うシュートを介して下方に排出するにあたり、前記シュートの上部に設置した超音波レベルセンサを用いて前記シュート内の屑堆積レベルを常時監視することにより屑詰まりを検知することを特徴とするトリミング間の屑詰まり検知方法。
【発明の詳細な説明】
【技術分野】
【０００１】
本発明は、トリミング間の屑詰まり検知方法に関する。
【背景技術】
【０００２】
鋼帯のエッジ部をトリミングしている間に発生するトリム屑は、板厚が厚い、あるいは板幅が広いなどで柔軟性を欠いてそのままでは排出しにくい場合、これをチョッパにて長さ２００ｍｍ程度の耳屑に分断する方法（以降チョッピング方式と呼ぶ）がとられることが一般的である。
チョッピング方式において、分断不良などによりトリム屑がつながって長い屑が発生して屑誘導用のガイドが詰まったり、トリム屑がシュート外に飛び出すなどした場合、トリミングが継続できなくなり、ラインを停止せざるをえない事態となることがある。また、詰まったトリム屑がチョッパの刃物ホルダに巻き付いたり、シュート内で次々に押し込められたりして、チョッパ本体やシュートが変形するなどの破損を伴うこともある。この場合、詰まったトリム屑の取り除き処置だけでなく、装置の修理に長時間を要し、場合によっては操業不能に陥る可能性もある。したがって、トリム屑の処理に異常が発生した場合には直ちにトリミング装置を停止する必要がある。
【０００３】
従来、チョッピングが正常に行われているかどうかを知るための手法として、一般的に、作業者の目視やカメラによって耳屑の溜り具合を監視する方法がとられている。
また、文献によると、チョッパ駆動モータのトルク電流変動を監視する方法（例えば特許文献１）や、チョッパ駆動系に設置した振動センサで振動レベルを監視する方法（例えば特許文献２）もある。
【先行技術文献】
【特許文献】
【０００４】
【特許文献１】特開２００３−１０３４１４号公報
【特許文献２】特開平２−２９８４２０号公報
【発明の概要】
【発明が解決しようとする課題】
【０００５】
上記従来技術には、次のような問題点がある。
作業者の目視やカメラによる監視方法では、判断が遅れたり、また、チョッパの入側から耳屑回収場所までの屑排出経路は、トリム屑の誘導のためや耳屑の飛散防止のためのシュートに覆われているために、チョッピング状況の直接的監視はできないという欠点がある。
【０００６】
また、チョッパ駆動モータのトルク電流変動を監視する方法や、チョッパ駆動系に設置した振動センサで振動レベルを監視する方法では、耳屑の発生状況の直接的監視をしているわけではなく、監視要素がトリミング幅、鋼帯の材質、板厚、チョッパ刃の摩耗の影響を受け、ピーク値が変動するという欠点がある。
上述のように、従来の技術では、チョッピング状況の直接的監視ができていないという欠点があるため、異常発生検知の信頼性に乏しいという課題があった。
【課題を解決するための手段】
【０００７】
本発明は上記課題を解決するために、トリミング間のチョッピング状況を直接監視して屑詰まりを検知する方法を提供するものであり、その要旨は、次のとおりである。
（１）鋼帯のエッジ部をトリミングしている間に発生するトリム屑をチョッパで耳屑に分断し、前記チョッパを覆うシュートを介して下方に排出するにあたり、前記シュートの上部に設置した超音波レベルセンサを用いて前記シュート内の屑堆積レベルを常時監視することにより屑詰まりを検知することを特徴とするトリミング間の屑詰まり検知方法。
【発明の効果】
【０００８】
本発明によれば、シュート内を常時直接監視することにより屑詰まり等の異常事態の発生を早期かつ正確に検知することができるので、過度の屑詰まりやそれによる装置の破損を予防でき、過度に詰まった屑の取り除き処理や破損した装置の修理に要する長時間のライン停止を未然に防止することができる。
【図面の簡単な説明】
【０００９】
【図１】本発明に係るトリミング間の屑詰まり検知方法の実施形態の１例を示す概略図
【発明を実施するための形態】
【００１０】
本発明に係るトリミング間の屑詰まり検知方法（略して本発明方法）を実施するための形態を、図１に示す例に基づいて説明する。
鋼帯１のエッジ部がトリマ２により裁断され、発生したトリム屑３はチョッパ４により分断され、耳屑５としてシュート６にガイドされ排出される。本発明方法では、シュート６上部に超音波レベルセンサ７を設置し、シュート６内の屑堆積レベルを常時直接監視する。
【００１１】
シュート６内での詰まり発生時には、超音波レベルセンサ７による屑堆積レベルの監視値が異常に高くなるので、そのことによって即座にシュート６内での詰まり発生を検知でき、トリミング設備停止指令を出すなどの措置をとることができる。
また、屑排出が正常に進行している時には、前記監視値は微小な変動範囲内を推移するので、そのことによって正常状態の同定ができる。
【００１２】
また、チョッパ４およびその上流側での詰まりや屑のはみ出しなどの異常が発生し、シュート６内に屑が流れ込まなくなった時には、前記監視値は全く変動しなくなるので、そのことによって即座に前記異常を検知でき、警報やトリミング設備停止指令を出すなどの措置をとることができる。
【実施例】
【００１３】
本発明方法を、図１に例示したのと同様の形態で、鋼帯商品生産用のトリミングラインに適用した。なお、超音波レベルセンサ７として、オムロン株式会社製のＥ４Ｃ‐ＤＳ１００を使用した。その結果、耳屑の詰まりや排出不良といった異常事態の発生を早期かつ確実に検知できるようになり、前記異常事態の発生による被害を最小限にとどめることが可能となった。
【符号の説明】
【００１４】
１  鋼帯
２  トリマ
３  トリム屑
４  チョッパ
５  耳屑
６  シュート
７  超音波レベルセンサ
【図１】
2011000649.tif 000003
(57)【要約】【課題】  現在掛け布団カバーは、縦側の１辺を長いファスナーで開閉できるようにして布団の出し入れ口とし、他の３辺を縫い合わせたものが一般的である。しかしこの構造のものはカバーの交換の際カバーを裏返すなどの手間がかかる。  このためカバーの交換を容易にするために、他の辺にもファスナーを付けるなどの改善が図られたものがあるが、ファスナーが壊れると布団カバーが使用できなくなることから、ファスナー部を増やすのは好ましくなく、またファスナー増加によるコスト上のデメリットがあった。  本発明は、ファスナーの長さを変えることなく、しかも交換しやすい布団カバーを提供する。【解決手段】  上記の一般的な布団カバーに、布団の出し入れ口とは反対側の２つの角付近に、腕が入る程度の開口部を設ける。【選択図】図１
2011000398.tif 000002
【特許請求の範囲】
【請求項１】
上布と下布を重ね３辺を縫い合わせ袋状として、他の１辺を布団の出し入れ口とし、この出し入れ口にファスナーなどをつけた布団カバーに、布団の出し入れ口とは反対側の２つの角付近に腕が入る程度の開口部を設けた交換しやすい布団カバー。
【発明の詳細な説明】
【技術分野】
【０００１】  本発明は、主として掛け布団にかぶせる布団カバーに関するものである。
【背景技術】
【０００２】  従来、布団カバーの交換を容易にするため、布団カバーの周囲の２辺又は３辺にファスナーを設けた布団カバーがあった。
【先行技術文献】
【０００３】
【特許文献１】特開平１０−２１５９９５
【特許文献２】登録実用新案第３０１３４８２号
【発明の概要】
【発明が解決しようとする課題】
【０００４】  現在の一般的な掛け布団のカバーは、縦方向の１辺に長いファスナーを付け開閉可能とし、これを布団の出し入れ口として、他の３辺は縫い合わせて袋状としているが、この構造のカバーは、交換の際カバーを裏返えしてから交換しないと作業が難しい。
しかし大きなカバーを裏返したり、布団を付けた状態で元にもどしたりするのは一人ではかなり面倒な作業である。
このためカバー交換を容易にするため、他の辺にもファスナーを付けるなどの改善が図られたものがあるが、布団カバーのファスナーは、開閉時に布の端をかみこませたり、洗濯時のストレスなどで壊れ、開閉できなくなることが比較的多い。
そしてこの長いファスナーが開閉できなくなれば、布団カバー自体が使用できなくなる。
このことから、ファスナー部を多くすることはこのリスクがさらに増加することとなり  好ましいことではない。
また、ファスナー部の増加にはコスト上のデメリットも発生する。
本発明は、一般的な布団カバーのファスナーの長さを変えることなく、しかも交換しやすい布団カバーを提供することを目的とする。
【課題を解決するための手段】
【０００５】  上記の目的を達成するため本発明は、上布と下布を重ね３辺を縫い合わせ袋状として、他の１辺を布団の出し入れ口とし、この出し入れ口にファスナーなどをつけた布団カバーに、布団の出し入れ口とは反対側の２つの角付近に腕が入る程度の開口部を設けた交換しやすい布団カバーである。
【発明の効果】
【０００６】  布団カバーに設けられた、一方の開口部から片腕を差し入れ、差し入れた手で布団をつかみカバー内に引っ張り込む。次にもう一方の開口部からも同様の作業をすることで、カバーを裏返すなどの手間をかけることなく、またファスナーの長さを変えることもなく、布団カバーの交換が容易にできる。
【図面の簡単な説明】
【０００７】
【図１】本発明品と掛け布団の平面図
【図２】本発明品と掛け布団の平面図
【発明を実施するための形態】
【０００８】  以下、本発明の実施形態について説明する。
図１の右側が本発明品の布団カバー（１）、左側は一般的な掛け布団（４）である。
本発明の構造は、
（イ）上布（１ａ）と下布（１ｂ）とを重ね合わせ、縦の一つの辺を開口して布団出し        入れ口（２ｃ）とし、これにファスナー（２ｄ）を取り付け開閉可能としている        。
（ロ）横の２辺は縫い合わせている。
（ハ）残りの縦の辺は、２つの角付近に腕が入る程度の開口部（２ａ、２ｂ）を設け、        その他の部分は縫い合わせている。
（ニ）布団カバー（１）の内側の角および各辺の中央付近には、布団とのズレを防止す        るための結び紐（３ａ〜３ｈ）を設けているが、これは一般的な掛け布団カバー        と変わらない。
（ホ）開口部（２ａ、２ｂ）は小さいので、特に閉じなくとも実用上差し支えはないが        、場合によってはそれぞれの中央付近にスナップなどを設けて閉じる。
一方、掛け布団（４）側には、通常布団カバー（１）に設けられた結び紐（３ａ〜３ｈ）のそれぞれ対応する位置に、結び紐を結ぶ紐掛け（５ａ〜５ｈ）が設けられている。
以上が本発明の構造であるが、一般的な布団カバーと異なるのは２箇所の開口部（２ａ、２ｂ）が設けられている点のみである。
このカバーを布団にかぶせるには図２のように、
（イ）ファスナー（２ｄ）を全開にし、一方の開口部（２ａ）から片腕をいれ、腕（６        ）にカバー（１）を掛けるようにたくし上げ、その手の先を布団出し入れ口（２        ｃ）から出す。
（ロ）その手で掛け布団（４）の角をつかみ、カバー（１）内に引き込むと共に、もう        片方の手で、カバー（１）を布団（４）側に引っ張りカバー（１）をかぶせる。
（ハ）開口部（２ａ）側まで布団（４）を引き込んだら、この位置の結び紐（３ａ）と        対応する位置の紐掛け（５ａ）を開口部（２ａ）より指をいれ結び止める。
（ニ）同様に、もう一方の開口部（２ｂ）から腕を入れ、布団（４）の反対側もカバー        （１）をかぶせ、結び紐（３ｂ）と紐掛け（５ｂ）を結び止める。
（ホ）次に、全開の布団出し入れ口（２ｃ）から両手を入れ、残った結び紐全て（３ｃ        〜３ｈ）を、それぞれの紐掛け（５ｃ〜５ｈ）に結びつける。
（ヘ）ファスナー（２ｄ）を閉じ終了。
カバーを外す手順は、
（イ）開口部（２ａ）に手を入れ、結び紐（３ａ）を解き、紐掛け（５ａ）から外す。
（ロ）もう一方の開口部（２ｂ）からも同様に結び紐（３ｂ）を外す。
（ハ）ファスナー（２ｄ）を全開し、布団出し入れ口（２ｃ）から手をいれ、残った紐        掛け（５ｃ〜５ｈ）から結び紐（３ｃ〜３ｈ）を解く。
（ニ）布団出し入れ口（２ｃ）から、掛け布団（４）を出し終了。
以上、一般的な布団カバーとファスナーの長さは同じであるが、布団カバー（１）を裏返すことなく、簡単に交換ができる。
【符号の説明】
【０００９】    １    布団カバー
１ａ  上布
１ｂ  下布
２ａ  開口部
２ｂ  開口部
２ｃ  布団出し入れ口
２ｄ  ファスナー
３ａ  各位置の結び紐
３ｂ  各位置の結び紐
３ｃ  各位置の結び紐
３ｄ  各位置の結び紐
３ｅ  各位置の結び紐
３ｆ  各位置の結び紐
３ｇ  各位置の結び紐
３ｈ  各位置の結び紐
４    掛け布団
５ａ  各位置の紐掛け
５ｂ  各位置の紐掛け
５ｃ  各位置の紐掛け
５ｄ  各位置の紐掛け
５ｅ  各位置の紐掛け
５ｆ  各位置の紐掛け
５ｇ  各位置の紐掛け
５ｈ  各位置の紐掛け
６    腕
【図１】
2011000398.tif 000003
【図２】
2011000398.tif 000004
(57)【要約】      （修正有）【課題】鍋を置く時に飯台が焦げる事を防げる組み立てもばらしも簡単。ばらして飯台の隅に置けば邪魔にならない、鍋敷きを提供する。【解決手段】鍋１の下に、木製のスティック２〜５を鍋のサイズに合わせ組み立てたりばらしたりする。【選択図】図１
2011000397.tif 000002
【特許請求の範囲】
【請求項１】
鍋（１）に鍋敷き（２）（３）（４）（５）を組み立てる、組み立て式鍋敷き
【発明の詳細な説明】
【技術分野】
【０００１】この発明は、家庭用の鍋の下に敷く木製の組み立て式鍋敷きに関するものである。
【背景技術】
【０００２】従来は熱い鍋などを置くと飯台がこげたりしていた。
【発明の開示】
【発明で解決しようとしている課題】
【０００３】これは次のような欠点があった。
熱くなった鍋を置くと飯台がこげ、飯台を傷める。
本発明は、以上のような欠点をなくすために、なされたものである。
【課題を解決するための手段】
【０００４】鍋（１）に鍋敷き（２）（３）（４）（５）を組み立てる、鍋敷きである。
【発明の効課】
【０００５】鍋のサイズによって、組み立てが変化出来る為、飯台を焦がす事がない。
【発明を実施する為の最良の形態】
【０００６】以下・本発明を実施する為の最良の形態を説明する。
鍋（１）の下に、木製の鍋敷き（２）（３）（４）（５）を組み立てる。
サイズに合わせ（２）（４）と（３）（５）と組み合わせ、小鍋なら２個、凹みを利用して形を変えることが出来る、本発明は以上の構造である。
これを使用しない時には、ばらして片付ける事が出来る。
【図面の簡単な説明】
【０００７】
【図１】  上面図
【図２】  各面図
【符号の説明】
【０００８】  １    鍋
（２）〜（５）敷板スティック
【図１】
2011000397.tif 000003
【図２】
2011000397.tif 000004
(57)【要約】【課題】  風に煽られ、ハンガーが簡単に物干し竿から落下し洗濯物が汚れ、また、高所からの落下は危険であると共に、近年カラスが物干し竿から持ち去り電柱等で巣作りをし、特に針金ハンガーによる巣作りでは停電等の重大な被害を引き起こしている。この為に、安全且つ、利便性に於いても考慮されたハンガーを提供する。【解決手段】  硬質プラスチックまたは、針金を用いクリップＯリングをつくる。また、Ｏリング支持輪とフック先端部にクリップＯリング掛け爪部を設けたハンガー本体をつくり、クリップＯリング支持輪にクリップＯリングを配置し、使用時は、フックを物干し竿に掛け、フック基部に配置したクリップＯリングを掛け爪部に掛け、フックを円形状にすることで、落下やカラスの持ち去りを防止する事ができる外れ防止ハンガーである。【選択図】図１
2011000399.tif 000002
【特許請求の範囲】
【請求項１】
ハンガーフック基部に設けたクリップＯリング固定輪にクリップＯリングを配置し、フック先端部に設けた掛け爪部へクリップＯリングを簡単に固定することが出来、物干し竿からの落下や、カラスによる持ち去り防止を可能とし、安心して衣類を干せることを特徴とする外れ防止ハンガー。
【請求項２】
クリップＯリングが不用な場合は、固定輪から簡単に取り外しができることを特徴とする外れ防止ハンガー。
【発明の詳細な説明】
【技術分野】
【０００１】本発明は、強風による落下防止と、カラスによる巣作りの為の持ち去り防止を簡単に行えることを目的に発明されたものである。
【背景技術】
【０００２】従来のハンガーは、物干し竿或は、物干しロープ等へ容易に掛けたり外したり出来るもので有るが、風に煽られ洗濯物が地面に落ち再び洗濯をする労力や、カラスが持ち去る等の被害が発生している。また、落下防止とカラスによる持ち去り防止を目的にフック部を渦巻き状に加工したものがある（例えば、特許文献１参照）。本発明は、クリップＯリングにより固定する構造のものであり、他に比較する技術はないものである。
【特許文献１】特開２００６−６８７１
【発明の開示】
【発明が解決しようとする課題】
【０００３】従来のハンガーは、風に煽られ物干し竿から簡単に外れ地面に落下するばかりではなく高所からの落下は危険であると共に、カラスが物干し竿から持ち去り電柱等で巣作りをし、特に針金ハンガーによる巣作りでは、停電等の重大な被害を引き起こしている。
【課題を解決するための手段】
【０００４】本発明は、上記事情により鑑みてなされたもので、針金及び、硬質プラスチックを用いクリップＯリングをつくる。また、ハンガーのフック基部にクリップＯリング支持輪とフック先端部にクリップＯリング掛け爪部を設けたハンガー本体をつくり、クリップＯリング支持輪にクリップＯリングを配置する。使用時は、フックを物干し竿に掛け、フック基部に配置したクリップＯリングをフック先端部に設けた掛け爪部に部材の弾力を利用して掛け、フックを円形状にすることにより、落下やカラスの持ち去りを防止する事が可能となり、人の手でなければ容易に取り外すことが出来ず、また、使用時は簡単に物干し竿に固定することが出来、安全性及び、利便性に於いても考慮されたものである。
【発明の効果】
【０００５】このようにすれば、ハンガーフック基部に設けたクリップＯリング支持輪にクリップＯリングを配置し、フック先端部に設けた掛け爪部へ、クリップＯリングを部材の弾力を利用して簡単に固定することかでき、物干し竿からの落下やカラスによる持ち去り防止を可能としている。また、クリップＯリングが不用な場合は、支持輪から容易に取り外しが出来ることを特徴とする。
【発明を実施するための最良の形態】
【０００６】本発明は、ハンガーに関するものであり、物干し竿からの落下やカラスによる持ち去り防止を考慮されたものである。それを図面について説明すれば、針金及び、硬質プラスチックにより、フック基部６に支持輪３及び、フック２先端部へ掛け爪部４を設けたハンガー本体１をつくる。また、同質の部材により、クリップＯリング５をつくり、ハンガー本体１のフック基部６に設けた支持輪３へ配置する。上記の如く組み立てたハンガー本体１のフック２を物干し竿７に掛け、部材の弾力を利用して、クリップＯリング５を掛け爪部４に掛けることにより、物干し竿７からの落下や、カラスの持ち去りを防止する事ができる構造のもので、利便性且つ、安全性に於いても考慮されたものである。
【図面の簡単な説明】
【０００７】
【図１】ハンガーの使用実施斜視図である。
【図２】ハンガーの斜視図である。
【図３】ハンガーの全体図である。（ａ）は平面図。  （ｂ）は正面図。  （ｃ）は側面図。
【符号の説明】
【０００８】  １  ハンガー本体
２  フック
３  支持輪
４  掛け爪部
５  クリップＯリング
６  フック基部
７  物干し竿
【図１】
2011000399.tif 000003
【図２】
2011000399.tif 000004
【図３】
2011000399.tif 000005